(57)【要約】【課題】非線形歪みの補償効果を高めることができる歪み補償装置を得ることを目的とする。【解決手段】誤差検出部１４により検出された誤差Ｖｅｒに応じて補償データを更新して、誤差検出部１４により検出される誤差Ｖｅｒを低減する補償データ更新部１５と、誤差検出部１４により検出された誤差Ｖｅｒの平均電力Ｐｅｒ＿ａｖｅを算出する平均誤差電力算出部１６とを設け、ゲート電圧制御部１８が平均誤差電力算出部１６により算出された誤差Ｖｅｒの平均電力Ｐｅｒ＿ａｖｅに応じて電力増幅器９の特性を制御して、その平均誤差電力算出部１６により算出される誤差Ｖｅｒの平均電力Ｐｅｒ＿ａｖｅを低減する。【選択図】図１
2010258578.tif 000002
【特許請求の範囲】
【請求項１】
非線形歪み補償用の補償データを入力信号に乗算する補償データ乗算手段と、上記補償データ乗算手段により補償データが乗算された入力信号の電力を増幅する電力増幅手段と、上記電力増幅手段により電力が増幅された入力信号の一部を帰還信号として分岐し、上記帰還信号と上記入力信号の誤差を検出する誤差検出手段と、上記誤差検出手段により検出された誤差に応じて上記補償データを更新して、上記誤差検出手段により検出される誤差を低減する補償データ更新手段と、上記誤差検出手段により検出された誤差の平均電力を算出する平均誤差電力算出手段と、上記平均誤差電力算出手段により算出された誤差の平均電力に応じて上記電力増幅手段の特性を制御して、上記平均誤差電力算出手段により算出される誤差の平均電力を低減する特性制御手段とを備えた歪み補償装置。
【請求項２】
特性制御手段は、平均誤差電力算出手段により算出された誤差の平均電力に応じて電力増幅手段のゲート電圧を更新するとともに、上記誤差の平均電力と上記誤差の平均電力が算出された際の上記電力増幅手段のゲート電圧とを記憶する処理を繰り返し実施し、記憶している複数の平均電力の中で、最小の平均電力に対応するゲート電圧を上記電力増幅手段のゲート電圧として最終的に設定することで、上記電力増幅手段の特性を制御することを特徴とする請求項１記載の歪み補償装置。
【請求項３】
特性制御手段は、平均誤差電力算出手段により算出された誤差の平均電力に応じて電力増幅手段のドレイン電圧を更新するとともに、上記誤差の平均電力と上記誤差の平均電力が算出された際の上記電力増幅手段のドレイン電圧とを記憶する処理を繰り返し実施し、記憶している複数の平均電力の中で、最小の平均電力に対応するドレイン電圧を上記電力増幅手段のドレイン電圧として最終的に設定することで、上記電力増幅手段の特性を制御することを特徴とする請求項１または請求項２記載の歪み補償装置。
【請求項４】
補償データ乗算手段により補償データが乗算された入力信号の電力を分配する電力分配器と、上記電力分配器により分配された一方の入力信号の電力を増幅するキャリア増幅器と、上記電力分配器により分配された他方の入力信号の電力を増幅するピーク増幅器と、上記キャリア増幅器により電力が増幅された入力信号と上記ピーク増幅器により電力が増幅された入力信号を合成する電力合成器とから電力増幅手段が構成されている場合、特性制御手段が平均誤差電力算出手段により算出された誤差の平均電力に応じて上記キャリア増幅器又は上記ピーク増幅器の少なくとも一方の特性を制御することを特徴とする請求項１から請求項３のうちのいずれか１項記載の歪み補償装置。
【請求項５】
補償データ乗算手段により補償データが乗算された入力信号の電力を分配する電力分配器と、上記電力分配器により分配された一方の入力信号の電力を増幅するキャリア増幅器と、上記電力分配器により分配された他方の入力信号の電力を増幅するピーク増幅器と、上記キャリア増幅器により電力が増幅された入力信号と上記ピーク増幅器により電力が増幅された入力信号を合成する電力合成器とから電力増幅手段が構成されている場合、特性制御手段が平均誤差電力算出手段により算出された誤差の平均電力に応じて上記キャリア増幅器又は上記ピーク増幅器と直列に接続する伝送線路の線路長を決定し、上記線路長を有する伝送線路を上記キャリア増幅器又は上記ピーク増幅器と直列に接続することで、上記電力増幅手段の特性を制御することを特徴とする請求項１記載の歪み補償装置。
【請求項６】
補償データ乗算手段により補償データが乗算された入力信号の電力を分配する電力分配器と、上記電力分配器により分配された一方の入力信号の電力を増幅するキャリア増幅器と、上記電力分配器により分配された他方の入力信号の電力を増幅するピーク増幅器と、上記キャリア増幅器により電力が増幅された入力信号と上記ピーク増幅器により電力が増幅された入力信号を合成する電力合成器とから電力増幅手段が構成されている場合、特性制御手段が平均誤差電力算出手段により算出された誤差の平均電力に応じて上記キャリア増幅器又は上記ピーク増幅器と並列に接続する伝送線路の線路長を決定し、上記線路長を有する伝送線路を上記キャリア増幅器又は上記ピーク増幅器と並列に接続することで、上記電力増幅手段の特性を制御することを特徴とする請求項１記載の歪み補償装置。
【請求項７】
平均誤差電力算出手段により算出された誤差の平均電力と所定の閾値を比較し、上記平均電力が上記閾値以下であれば、上記平均電力を特性制御手段に出力し、上記平均電力が上記閾値より大きければ、上記閾値を上記特性制御手段に出力する上限設定手段を設けたことを特徴とする請求項１から請求項６のうちのいずれか１項記載の歪み補償装置。
【発明の詳細な説明】
【技術分野】
【０００１】
この発明は、電力増幅器で発生する非線形歪みを補償する歪み補償装置に関するものである。
【背景技術】
【０００２】
図８は以下の特許文献１に開示されている歪み補償装置を示す構成図である。
この歪み補償装置では、以下のようにして、電力増幅器１０９で発生する非線形歪みを補償している。
まず、信号分岐部１０２は、入力端子１０１からベースバンド信号Ｖｉｎが入力されると、そのベースバンド信号Ｖｉｎを分岐して、一方のベースバンド信号Ｖｉｎを乗算器１０６に出力し、他方のベースバンド信号Ｖｉｎを信号分岐部１０３に出力する。
信号分岐部１０３は、信号分岐部１０２からベースバンド信号Ｖｉｎを受けると、そのベースバンド信号Ｖｉｎを分岐して、一方のベースバンド信号Ｖｉｎを電力計算部１０４に出力し、他方のベースバンド信号Ｖｉｎを誤差検出部１１４に出力する。
【０００３】
電力計算部１０４は、信号分岐部１０３からベースバンド信号Ｖｉｎを受けると、そのベースバンド信号Ｖｉｎの瞬時電力値Ｐｉｎを計算する。
補償データテーブル１０５は、予め、複数の瞬時電力値に対応する補償データを記憶しており、電力計算部１０４により計算された瞬時電力値Ｐｉｎに対応する補償データを乗算器１０６に出力する。
乗算器１０６は、補償データテーブル１０５から補償データを受けると、その補償データと信号分岐部１０２から出力されたベースバンド信号Ｖｉｎとの複素乗算を実施し、その乗算結果を示す乗算信号をＤ／Ａコンバータ１０７に出力する。
【０００４】
Ｄ／Ａコンバータ１０７は、乗算器１０６から乗算信号を受けると、その乗算信号をアナログ信号に変換し、そのアナログ信号を周波数変換器１０８に出力する。
周波数変換器１０８は、Ｄ／Ａコンバータ１０７からアナログ信号を受けると、そのアナログ信号の周波数を無線周波数（ＲＦ）に変換して、周波数変換後の信号を電力増幅器１０９に出力する。
電力増幅器１０９は、周波数変換器１０８から周波数変換後の信号を受けると、周波数変換後の信号の電力を増幅し、電力増幅後の信号を信号分岐部１１０に出力する。
信号分岐部１１０は、電力増幅器１０９から電力増幅後の信号を受けると、電力増幅後の信号を分岐して、一方の信号を出力信号Ｖｏｕｔとして出力端子１１１に出力し、他方の信号を周波数変換器１１２に出力する。
【０００５】
周波数変換器１１２は、信号分岐部１１０から電力増幅後の信号を受けると、その信号の周波数をベースバンド信号Ｖｉｎと同じ周波数に変換してＡ／Ｄコンバータ１１３に出力する。
Ａ／Ｄコンバータ１１３は、周波数変換器１１２から周波数変換後の信号を受けると、その信号をデジタル信号に変換し、そのデジタル信号を帰還信号ＶＦＢとして誤差検出部１１４に出力する。
【０００６】
誤差検出部１１４は、信号分岐部１０３から出力されたベースバンド信号Ｖｉｎと、Ａ／Ｄコンバータ１１３から出力された帰還信号ＶＦＢとの誤差Ｖｅｒを検出し、その誤差Ｖｅｒを補償データ更新部１１５に出力する。
補償データ更新部１１５は、誤差検出部１１４からベースバンド信号Ｖｉｎと帰還信号ＶＦＢの誤差Ｖｅｒを受けると、その誤差Ｖｅｒが小さくなるように、補償データテーブル１０５により記憶されている補償データを更新する。
【先行技術文献】
【特許文献】
【０００７】
【特許文献１】特開平９−６９７３３号公報（段落番号［００４５］から［００５７］、図２）
【発明の概要】
【発明が解決しようとする課題】
【０００８】
従来の歪み補償装置は以上のように構成されているので、ベースバンド信号Ｖｉｎと帰還信号ＶＦＢの誤差Ｖｅｒが小さくなるように、補償データテーブル１０５により記憶されている補償データが更新され、その補償データがベースバンド信号Ｖｉｎと乗算されることで、電力増幅器１０９で発生する非線形歪みが補償される。しかし、ベースバンド信号Ｖｉｎと帰還信号ＶＦＢの誤差Ｖｅｒが小さくなるように補償データを更新するだけでは、電力増幅器１０９の特性によっては、非線形歪みを十分に補償することができないことがあるなどの課題があった。
【０００９】
この発明は上記のような課題を解決するためになされたもので、非線形歪みの補償効果を高めることができる歪み補償装置を得ることを目的とする。
【課題を解決するための手段】
【００１０】
この発明に係る歪み補償装置は、電力増幅手段により電力が増幅された入力信号の一部を帰還信号として分岐し、その帰還信号と入力信号の誤差を検出する誤差検出手段と、その誤差検出手段により検出された誤差に応じて非線形歪み補償用の補償データを更新して、その誤差検出手段により検出される誤差を低減する補償データ更新手段と、その誤差検出手段により検出された誤差の平均電力を算出する平均誤差電力算出手段とを設け、特性制御手段が平均誤差電力算出手段により算出された誤差の平均電力に応じて電力増幅手段の特性を制御して、その平均誤差電力算出手段により算出される誤差の平均電力を低減するようにしたものである。
【発明の効果】
【００１１】
この発明によれば、電力増幅手段により電力が増幅された入力信号の一部を帰還信号として分岐し、その帰還信号と入力信号の誤差を検出する誤差検出手段と、その誤差検出手段により検出された誤差に応じて非線形歪み補償用の補償データを更新して、その誤差検出手段により検出される誤差を低減する補償データ更新手段と、その誤差検出手段により検出された誤差の平均電力を算出する平均誤差電力算出手段とを設け、特性制御手段が平均誤差電力算出手段により算出された誤差の平均電力に応じて電力増幅手段の特性を制御して、その平均誤差電力算出手段により算出される誤差の平均電力を低減するように構成したので、非線形歪みの補償効果を高めることができる効果がある。
【図面の簡単な説明】
【００１２】
【図１】この発明の実施の形態１による歪み補償装置を示す構成図である。
【図２】この発明の実施の形態１による歪み補償装置の処理内容を示すフローチャートである。
【図３】この発明の実施の形態２による歪み補償装置を示す構成図である。
【図４】この発明の実施の形態３による歪み補償装置の電力増幅器を示す構成図である。
【図５】この発明の実施の形態４による歪み補償装置を示す構成図である。
【図６】この発明の実施の形態４による歪み補償装置の電力増幅器を示す構成図である。
【図７】この発明の実施の形態５による歪み補償装置の電力増幅器を示す構成図である。
【図８】特許文献１に開示されている歪み補償装置を示す構成図である。
【発明を実施するための形態】
【００１３】
実施の形態１．
図１はこの発明の実施の形態１による歪み補償装置を示す構成図である。
図１において、入力端子１はベースバンド信号Ｖｉｎ（入力信号）を入力する端子である。
信号分岐部２は入力端子１から入力されたベースバンド信号Ｖｉｎを分岐して、一方のベースバンド信号Ｖｉｎを乗算器６に出力し、他方のベースバンド信号Ｖｉｎを信号分岐部３に出力する処理を実施する。
信号分岐部３は信号分岐部２から出力されたベースバンド信号Ｖｉｎを分岐して、一方のベースバンド信号Ｖｉｎを電力計算部４に出力し、他方のベースバンド信号Ｖｉｎを誤差検出部１４に出力する処理を実施する。
【００１４】
電力計算部４は信号分岐部３から出力されたベースバンド信号Ｖｉｎの瞬時電力値Ｐｉｎを計算する処理を実施する。
補償データテーブル５は予め複数の瞬時電力値に対応する非線形歪み補償用の補償データを記憶しており、電力計算部４により計算された瞬時電力値Ｐｉｎに対応する補償データを乗算器６に出力する。
乗算器６は補償データテーブル５から出力された補償データと信号分岐部２から出力されたベースバンド信号Ｖｉｎとの複素乗算を実施し、その乗算結果を示す乗算信号をＤ／Ａコンバータ７に出力する処理を実施する。
【００１５】
Ｄ／Ａコンバータ７は乗算器６から出力された乗算信号をアナログ信号に変換する処理を実施する。
周波数変換器８はＤ／Ａコンバータ７により変換されたアナログ信号の周波数を無線周波数（ＲＦ）に変換する処理を実施する。
なお、信号分岐部２，３、電力計算部４、補償データテーブル５、乗算器６、Ｄ／Ａコンバータ７及び周波数変換器８から補償データ乗算手段が構成されている。
電力増幅器９はゲート電圧制御部１８によりゲート電圧が制御されることで振幅特性や位相特性などが制御され、周波数変換器８による周波数変換後の信号の電力を増幅する処理を実施する。なお、電力増幅器９は電力増幅手段を構成している。
【００１６】
信号分岐部１０は電力増幅器９による電力増幅後の信号を分岐して、一方の信号を出力信号Ｖｏｕｔとして出力端子１１に出力し、他方の信号を周波数変換器１２に出力する処理を実施する。
出力端子１１は歪み補償装置の出力信号Ｖｏｕｔを出力する端子である。
周波数変換器１２は信号分岐部１０から出力された電力増幅後の信号の周波数をベースバンド信号Ｖｉｎと同じ周波数に変換する処理を実施する。
Ａ／Ｄコンバータ１３は周波数変換器１２による周波数変換後の信号をデジタル信号に変換し、そのデジタル信号を帰還信号ＶＦＢとして誤差検出部１４に出力する処理を実施する。
【００１７】
誤差検出部１４は信号分岐部３から出力されたベースバンド信号ＶｉｎとＡ／Ｄコンバータ１３から出力された帰還信号ＶＦＢとの誤差Ｖｅｒを検出する処理を実施する。
なお、信号分岐部１０、周波数変換器１２、Ａ／Ｄコンバータ１３及び誤差検出部１４から誤差検出手段が構成されている。
補償データ更新部１５は誤差検出部１４により検出された誤差Ｖｅｒに応じて補償データテーブル５により記憶されている補償データを更新して、誤差検出部１４により検出される誤差Ｖｅｒを低減する処理を実施する。なお、補償データ更新部１５は補償データ更新手段を構成している。
【００１８】
平均誤差電力算出部１６は誤差検出部１４により検出された誤差Ｖｅｒの平均電力Ｐｅｒ_ａｖｅを算出する処理を実施する。なお、平均誤差電力算出部１６は平均誤差電力算出手段を構成している。
平均誤差電力閾値設定部１７は平均誤差電力算出部１６により算出された誤差Ｖｅｒの平均電力Ｐｅｒ_ａｖｅと、予め設定された上限値である平均誤差電力閾値Ｐｅｒ_ｓを比較し、その平均電力Ｐｅｒ_ａｖｅが平均誤差電力閾値Ｐｅｒ_ｓ以下であれば、その平均電力Ｐｅｒ_ａｖｅをゲート電圧制御部１８に出力し、その平均電力Ｐｅｒ_ａｖｅが平均誤差電力閾値Ｐｅｒ_ｓより大きければ、その平均誤差電力閾値Ｐｅｒ_ｓを平均電力Ｐｅｒ_ａｖｅ（＝Ｐｅｒ_ｓ）としてゲート電圧制御部１８に出力する処理を実施する。なお、平均誤差電力閾値設定部１７は上限設定手段を構成している。
【００１９】
ゲート電圧制御部１８は平均誤差電力閾値設定部１７から出力された平均電力Ｐｅｒ_ａｖｅに応じて電力増幅器９のゲート電圧Ｖｇ_Ｎを制御することで、電力増幅器９の特性を制御して、平均誤差電力算出部１６により算出される誤差Ｖｅｒの平均電力Ｐｅｒ_ａｖｅを低減する処理を実施する。
即ち、ゲート電圧制御部１８は平均誤差電力閾値設定部１７から出力された平均電力Ｐｅｒ_ａｖｅに応じて電力増幅器９のゲート電圧Ｖｇ_Ｎを更新するとともに、平均誤差電力算出部１６により算出された誤差Ｖｅｒの平均電力Ｐｅｒ_ａｖｅと、その誤差Ｖｅｒの平均電力Ｐｅｒ_ａｖｅが算出された際の電力増幅器９のゲート電圧Ｖｇ_Ｎ−１とを記憶する処理を繰り返し実施し、記憶している複数の平均電力Ｐｅｒ_ａｖｅの中で、最小の平均電力Ｐｅｒ_ａｖｅに対応するゲート電圧を電力増幅器９のゲート電圧Ｖｇ_ｏｐｔとして最終的に設定することで、電力増幅器９の特性を制御する処理を実施する。なお、ゲート電圧制御部１８は特性制御手段を構成している。
【００２０】
次に動作について説明する。
この実施の形態１では、乗算器６が補償データテーブル５から出力された補償データを信号分岐部２から出力されたベースバンド信号Ｖｉｎに複素乗算することで、電力増幅器９で発生する非線形歪みを補償する際、補償データ更新部１５が誤差検出部１４により検出される誤差Ｖｅｒが小さくなるように、補償データテーブル５により記憶されている補償データを更新する処理を実施したのち、ゲート電圧制御部１８が平均誤差電力算出部１６により算出される誤差の平均電力Ｐｅｒ_ａｖｅが小さくなるように、電力増幅器９のゲート電圧Ｖｇ_Ｎを制御することを特徴とするものである。
【００２１】
このように、ゲート電圧制御部１８が電力増幅器９のゲート電圧Ｖｇ_Ｎを制御することで、補償データテーブル５により記憶されている補償データを更新するだけでは、十分な非線形歪み補償が得られないような場合でも、十分な非線形歪み補償が得られるようにしている。
以下、図１の歪み補償装置の処理内容を具体的に説明する。
図２はこの発明の実施の形態１による歪み補償装置の処理内容を示すフローチャートである。
【００２２】
まず、歪み補償装置における変数等を初期設定する（ステップＡ）。
即ち、ゲート電圧制御部１８が、電力増幅器９のゲート電圧の初期値Ｖｇ_０を設定するとともに、電力増幅器９のゲート電圧の変更回数Ｎを設定する（ステップＳＴ１）。
また、補償データ更新部１５が、補償データテーブル５により記憶されている補償データを更新する際の補正係数Ｘ（例えば、Ｘは正の定数）と、補償データの更新回数Ｍを設定する（ステップＳＴ１）。
また、平均誤差電力閾値設定部１７が、平均誤差電力閾値Ｐｅｒ_ｓを設定する（ステップＳＴ１）。
【００２３】
ゲート電圧制御部１８は、上記の初期設定が完了すると、電力増幅器９のゲート電圧の変更回数がＮ回に到達したか否かを判定する（ステップＳＴ２）。
この段階では、電力増幅器９のゲート電圧を１度も変更していないので、ステップＢの「補償データの更新処理」に移行する。
【００２４】
ステップＢの「補償データの更新処理」では、補償データ更新部１５が、補償データテーブル５により記憶されている補償データをＭ回更新する処理を実施する。
以下、ステップＢの「補償データの更新処理」を具体的に説明する。
まず、信号分岐部２は、入力端子１からベースバンド信号Ｖｉｎが入力されると、そのベースバンド信号Ｖｉｎを分岐して、一方のベースバンド信号Ｖｉｎを乗算器６に出力し、他方のベースバンド信号Ｖｉｎを信号分岐部３に出力する。
信号分岐部３は、信号分岐部２からベースバンド信号Ｖｉｎを受けると、そのベースバンド信号Ｖｉｎを分岐して、一方のベースバンド信号Ｖｉｎを電力計算部４に出力し、他方のベースバンド信号Ｖｉｎを誤差検出部１４に出力する。
【００２５】
電力計算部４は、信号分岐部３からベースバンド信号Ｖｉｎを受けると、そのベースバンド信号Ｖｉｎの瞬時電力値Ｐｉｎを計算する。
補償データテーブル５は、予め、複数の瞬時電力値に対応する補償データを記憶しており、電力計算部４により計算された瞬時電力値Ｐｉｎに対応する補償データＤを乗算器６に出力する。
乗算器６は、補償データテーブル５から補償データＤを受けると、その補償データＤと信号分岐部２から出力されたベースバンド信号Ｖｉｎとの複素乗算を実施し、その乗算結果を示す乗算信号をＤ／Ａコンバータ７に出力する（ステップＳＴ３）。
【００２６】
Ｄ／Ａコンバータ７は、乗算器６から乗算信号を受けると、その乗算信号をアナログ信号に変換し、そのアナログ信号を周波数変換器８に出力する。
周波数変換器８は、Ｄ／Ａコンバータ７からアナログ信号を受けると、そのアナログ信号の周波数を無線周波数（ＲＦ）に変換して、周波数変換後の信号を電力増幅器９に出力する。
電力増幅器９は、周波数変換器８から周波数変換後の信号を受けると、周波数変換後の信号の電力を増幅し、電力増幅後の信号を信号分岐部１０に出力する。
信号分岐部１０は、電力増幅器９から電力増幅後の信号を受けると、電力増幅後の信号を分岐して、一方の信号を出力信号Ｖｏｕｔとして出力端子１１に出力し、他方の信号を周波数変換器１２に出力する。
【００２７】
周波数変換器１２は、信号分岐部１０から電力増幅後の信号を受けると、その信号の周波数をベースバンド信号Ｖｉｎと同じ周波数に変換して、周波数変換後の信号をＡ／Ｄコンバータ１３に出力する。
Ａ／Ｄコンバータ１３は、周波数変換器１２から周波数変換後の信号を受けると、その信号をデジタル信号に変換し、そのデジタル信号を帰還信号ＶＦＢとして誤差検出部１４に出力する。
【００２８】
誤差検出部１４は、信号分岐部３から出力されたベースバンド信号Ｖｉｎと、Ａ／Ｄコンバータ１３から出力された帰還信号ＶＦＢとの誤差Ｖｅｒを検出し、その誤差Ｖｅｒを補償データ更新部１５に出力する（ステップＳＴ４）。
補償データ更新部１５は、誤差検出部１４からベースバンド信号Ｖｉｎと帰還信号ＶＦＢの誤差Ｖｅｒを受けると、その誤差Ｖｅｒが小さくなるように、補償データテーブル５により記憶されている補償データを更新する（ステップＳＴ５）。
【００２９】
即ち、補償データ更新部１５は、例えば、下記の式（１）を計算することで、補償データテーブル５により記憶されている補償データを更新する。
・Ｖｉｎ＞ＶＦＢ  の場合
更新後の補償データ＝Ｄ＋（Ｘ・Ｖｅｒ）
・Ｖｉｎ＜ＶＦＢ  の場合
更新後の補償データ＝Ｄ−（Ｘ・Ｖｅｒ）
（１）
ただし、式（１）による補償データＤの更新は、一例に過ぎず、他の式で更新してもよいことは言うまでもない。
【００３０】
ステップＢの「補償データの更新処理」は、補償データの更新回数が、補償データ更新部１５により初期設定された更新回数Ｍに到達するまで繰り返し実施され（ステップＳＴ６）、補償データ更新部１５が補償データをＭ回更新すると、ステップＣの「誤差の平均電力とゲート電圧の記憶処理」に移行する。
なお、ステップＢの「補償データの更新処理」を実施している期間中、入力端子１から入力されるベースバンド信号Ｖｉｎが時々刻々と変化するが、このベースバンド信号Ｖｉｎは下限値から上限値まで一様に変化するのではなく、ランダムに変化するものであるため、補償データテーブル５により記憶されている補償データ（補償データテーブル５には、複数の瞬時電力値Ｐｉｎに対応する補償データが記憶されている）のうち、更新されない補償データが生まれる可能性がある。
例えば、瞬時電力値Ｐ１に対応する補償データＤ１と、瞬時電力値Ｐ３に対応する補償データＤ３が更新されており、瞬時電力値Ｐ２に対応する補償データＤ２が更新されていないような場合には（Ｐ１＜Ｐ２＜Ｐ３）、更新後の補償データＤ１，Ｄ３を用いて、補償データＤ２を線形補間することで、補償データＤ２を更新する。
【００３１】
ステップＣの「誤差の平均電力とゲート電圧の記憶処理」では、ゲート電圧制御部１８が誤差Ｖｅｒの平均電力Ｐｅｒ_ａｖｅと、その誤差Ｖｅｒの平均電力Ｐｅｒ_ａｖｅが算出された際の電力増幅器９のゲート電圧Ｖｇ_Ｎ−１とを記憶する処理などを実施する。
以下、ステップＣの「誤差の平均電力とゲート電圧の記憶処理」を具体的に説明する。
まず、平均誤差電力算出部１６は、誤差検出部１４がベースバンド信号Ｖｉｎと帰還信号ＶＦＢの誤差Ｖｅｒを検出すると、その誤差Ｖｅｒの平均電力Ｐｅｒ_ａｖｅを算出する（ステップＳＴ７）。
【００３２】
平均誤差電力閾値設定部１７は、平均誤差電力算出部１６が誤差Ｖｅｒの平均電力Ｐｅｒ_ａｖｅを算出すると、電力増幅器９のゲートに過剰な電圧が印加されるのを防ぐため、平均誤差電力算出部１６からゲート電圧制御部１８に与えられる平均電力Ｐｅｒ_ａｖｅに制限を加える処理を実施する。
即ち、平均誤差電力閾値設定部１７は、平均誤差電力算出部１６により算出された誤差Ｖｅｒの平均電力Ｐｅｒ_ａｖｅと、予め設定された上限値である平均誤差電力閾値Ｐｅｒ_ｓを比較し、その平均電力Ｐｅｒ_ａｖｅが平均誤差電力閾値Ｐｅｒ_ｓ以下であれば（ステップＳＴ８）、その平均電力Ｐｅｒ_ａｖｅをゲート電圧制御部１８に出力するが（ステップＳＴ９）、その平均電力Ｐｅｒ_ａｖｅが平均誤差電力閾値Ｐｅｒ_ｓより大きければ（ステップＳＴ８）、その平均誤差電力閾値Ｐｅｒ_ｓを平均電力Ｐｅｒ_ａｖｅ（＝Ｐｅｒ_ｓ）としてゲート電圧制御部１８に出力する（ステップＳＴ１０）。
【００３３】
ゲート電圧制御部１８は、平均誤差電力算出部１６が誤差Ｖｅｒの平均電力Ｐｅｒ_ａｖｅを算出すると、その誤差Ｖｅｒの平均電力Ｐｅｒ_ａｖｅと、その誤差Ｖｅｒの平均電力Ｐｅｒ_ａｖｅが算出された際の電力増幅器９のゲート電圧Ｖｇ_Ｎ−１とを組にして、内部のメモリに記憶する処理を実施する（ステップＳＴ１１）。
なお、ステップＣの「誤差の平均電力とゲート電圧の記憶処理」は、後述するステップＤの「ゲート電圧の変更処理」がＮ回実施されるまで繰り返されるので、Ｎ組の平均電力Ｐｅｒ_ａｖｅとゲート電圧Ｖｇ_Ｎ−１がゲート電圧制御部１８の内部メモリに記憶されることになる。
【００３４】
ステップＤの「ゲート電圧の変更処理」では、ゲート電圧制御部１８が電力増幅器９のゲート電圧Ｖｇ_Ｎを算出して、電力増幅器９のゲート電圧を変更する処理を実施する。
まず、ゲート電圧制御部１８は、平均誤差電力閾値設定部１７から誤差Ｖｅｒの平均電力Ｐｅｒ_ａｖｅを受けると、その平均電力Ｐｅｒ_ａｖｅに応じて電力増幅器９のゲート電圧Ｖｇ_Ｎを算出する（ステップＳＴ１２）。
以下、ゲート電圧制御部１８によるゲート電圧Ｖｇ_Ｎの算出例を説明する。
ゲート電圧制御部１８は、平均誤差電力閾値設定部１７から出力された誤差Ｖｅｒの平均電力Ｐｅｒ_ａｖｅが、前回のゲート電圧Ｖｇ_Ｎ−１の算出時の平均電力Ｐｅｒ_ａｖｅと比べて減少している場合、前回のゲート電圧Ｖｇ_Ｎ−１の変更が適正な方向に変更されている可能性が高いので、前回のゲート電圧Ｖｇ_Ｎ−１が前々回のゲート電圧Ｖｇ_Ｎ−２より高ければ、下記の式（２）に示すように、今回のゲート電圧Ｖｇ_Ｎが前回のゲート電圧Ｖｇ_Ｎ−１より高い値になるように算出する。
Ｖｇ_Ｎ−１≧Ｖｇ_Ｎ−２    →    Ｖｇ_Ｎ＝Ｖｇ_Ｎ−１＋ΔＶｇ      （２）
一方、前回のゲート電圧Ｖｇ_Ｎ−１が前々回のゲート電圧Ｖｇ_Ｎ−２より低ければ、下記の式（３）に示すように、今回のゲート電圧Ｖｇ_Ｎが前回のゲート電圧Ｖｇ_Ｎ−１より低い値になるように算出する。
Ｖｇ_Ｎ−１＜Ｖｇ_Ｎ−２    →    Ｖｇ_Ｎ＝Ｖｇ_Ｎ−１−ΔＶｇ      （３）
なお、ΔＶｇはゲート電圧の変更幅（ΔＶｇ＞０）であり、変更回数が増えるにしたがって小さくするものとする。
【００３５】
ゲート電圧制御部１８は、平均誤差電力閾値設定部１７から出力された誤差Ｖｅｒの平均電力Ｐｅｒ_ａｖｅが、前回のゲート電圧Ｖｇ_Ｎ−１の算出時の平均電力Ｐｅｒ_ａｖｅと比べて増加している場合、前回のゲート電圧Ｖｇ_Ｎ−１の変更が不適正な方向に変更されている可能性が高いので、前回のゲート電圧Ｖｇ_Ｎ−１が前々回のゲート電圧Ｖｇ_Ｎ−２より高ければ、下記の式（４）に示すように、今回のゲート電圧Ｖｇ_Ｎが前々回のゲート電圧Ｖｇ_Ｎ−２より低い値になるように算出する。
Ｖｇ_Ｎ−１≧Ｖｇ_Ｎ−２    →    Ｖｇ_Ｎ＝Ｖｇ_Ｎ−２−ΔＶｇ      （４）
一方、前回のゲート電圧Ｖｇ_Ｎ−１が前々回のゲート電圧Ｖｇ_Ｎ−２より低ければ、下記の式（５）に示すように、今回のゲート電圧Ｖｇ_Ｎが前々回のゲート電圧Ｖｇ_Ｎ−２より高い値になるように算出する。
Ｖｇ_Ｎ−１＜Ｖｇ_Ｎ−２    →    Ｖｇ_Ｎ＝Ｖｇ_Ｎ−２＋ΔＶｇ      （５）
なお、今回のゲート電圧Ｖｇ_Ｎを式（４）又は式（５）によって算出した場合、次回のゲート電圧Ｖｇ_Ｎ＋１の算出時においては、今回のゲート電圧Ｖｇ_Ｎと前回のゲート電圧Ｖｇ_Ｎ−１ではなく、今回のゲート電圧Ｖｇ_Ｎと前々回のゲート電圧Ｖｇ_Ｎ−２を比較するものとする。
【００３６】
因みに、１回目のゲート電圧の変更時では、誤差Ｖｅｒの平均電力Ｐｅｒ_ａｖｅが増加しているのか、減少しているのかを判別することができないので、式（２）又は式（３）のいずれかを用いて、今回のゲート電圧Ｖｇ_Ｎを算出するものとする。
ここでは、平均電力Ｐｅｒ_ａｖｅの増減傾向を考慮し、前回のゲート電圧Ｖｇ_Ｎ−１と前々回のゲート電圧Ｖｇ_Ｎ−２を比較して、電力増幅器９のゲート電圧Ｖｇ_Ｎを算出するものについて示したが、これに限るものではなく、例えば、適用可能なゲート電圧がＮ個の規定値であるような場合には、Ｎ個のゲート電圧Ｖｇ_１，Ｖｇ_２，・・・，Ｖｇ_Ｎを順番に切り替えるようにしてしてもよい。
例えば、ゲート電圧Ｖｇ_１→ゲート電圧Ｖｇ_２→・・・→ゲート電圧Ｖｇ_Ｎの順番で、ゲート電圧を変更する。
【００３７】
ゲート電圧制御部１８は、上記のようにして、電力増幅器９のゲート電圧Ｖｇ_Ｎを算出すると、電力増幅器９のゲート電圧をゲート電圧Ｖｇ_Ｎに変更する処理を実施する（ステップＳＴ１３）。
なお、ゲート電圧制御部１８は、ゲート電圧Ｖｇ_Ｎの変更回数がＮ回に到達するまで、平均誤差電力閾値設定部１７から誤差Ｖｅｒの平均電力Ｐｅｒ_ａｖｅを受けて、ゲート電圧Ｖｇ_Ｎの変更処理を実施する（ステップＳＴ２）。
ゲート電圧Ｖｇ_Ｎの変更回数がＮ回に到達すると、ステップＥの「ゲート電圧の設定処理」に移行する。
【００３８】
ステップＥの「ゲート電圧の設定処理」では、ゲート電圧制御部１８が、電力増幅器９のゲート電圧を最終的に設定する処理を実施する。
即ち、ゲート電圧制御部１８は、内部メモリに記憶しているＮ個の平均電力Ｐｅｒ_ａｖｅの中で、最小の平均電力Ｐｅｒ_ａｖｅを検索し、最小の平均電力Ｐｅｒ_ａｖｅと組になっているゲート電圧を電力増幅器９のゲート電圧Ｖｇ_ｏｐｔに決定する（ステップＳＴ１４，ＳＴ１５）。
ゲート電圧制御部１８は、電力増幅器９のゲート電圧Ｖｇ_ｏｐｔを決定すると、電力増幅器９のゲート電圧を最終的にゲート電圧Ｖｇ_ｏｐｔに設定する（ステップＳＴ１３）。
これにより、電力増幅器９の特性制御が完了するが、この特性制御は必要に応じて適当な周期で繰り返されることで、歪み補償の効果が得られやすい電力増幅器９の特性が維持される。
【００３９】
以上で明らかなように、この実施の形態１によれば、電力増幅器９により電力が増幅されたベースバンド信号Ｖｉｎの一部を帰還信号ＶＦＢとして分岐し、その帰還信号ＶＦＢとベースバンド信号Ｖｉｎの誤差Ｖｅｒを検出する誤差検出部１４と、その誤差検出部１４により検出された誤差Ｖｅｒに応じて補償データテーブル５により記憶されている補償データを更新して、その誤差検出部１４により検出される誤差Ｖｅｒを低減する補償データ更新部１５と、その誤差検出部１４により検出された誤差Ｖｅｒの平均電力Ｐｅｒ_ａｖｅを算出する平均誤差電力算出部１６とを設け、ゲート電圧制御部１８が平均誤差電力算出部１６により算出された誤差Ｖｅｒの平均電力Ｐｅｒ_ａｖｅに応じて電力増幅器９の特性を制御して、その平均誤差電力算出部１６により算出される誤差Ｖｅｒの平均電力Ｐｅｒ_ａｖｅを低減するように構成したので、非線形歪みの補償効果を高めることができる効果を奏する。
即ち、補償データ更新部１５が誤差検出部１４により検出された誤差Ｖｅｒに応じて補償データテーブル５により記憶されている補償データを更新するだけでは、非線形歪みを十分に補償することができない場合でも、電力増幅器９の特性を制御することで、非線形歪みの補償効果を高めることができる効果を奏する。
【００４０】
また、この実施の形態１によれば、平均誤差電力閾値設定部１７が、平均誤差電力算出部１６により算出された誤差Ｖｅｒの平均電力Ｐｅｒ_ａｖｅと、予め設定された上限値である平均誤差電力閾値Ｐｅｒ_ｓを比較し、その平均電力Ｐｅｒ_ａｖｅが平均誤差電力閾値Ｐｅｒ_ｓ以下であれば、その平均電力Ｐｅｒ_ａｖｅをゲート電圧制御部１８に出力し、その平均電力Ｐｅｒ_ａｖｅが平均誤差電力閾値Ｐｅｒ_ｓより大きければ、その平均誤差電力閾値Ｐｅｒ_ｓを平均電力Ｐｅｒ_ａｖｅ（＝Ｐｅｒ_ｓ）としてゲート電圧制御部１８に出力するように構成したので、電力増幅器９のゲートに過剰な電圧が印加される状況の発生を防止することができる効果を奏する。
【００４１】
実施の形態２．
図３はこの発明の実施の形態２による歪み補償装置を示す構成図であり、図において、図１と同一符号は同一又は相当部分を示すので説明を省略する。
ドレイン電圧制御部１９は平均誤差電力閾値設定部１７から出力された平均電力Ｐｅｒ_ａｖｅに応じて電力増幅器９のドレイン電圧Ｖｄ_Ｎを制御することで、電力増幅器９の特性を制御して、平均誤差電力算出部１６により算出される誤差Ｖｅｒの平均電力Ｐｅｒ_ａｖｅを低減する処理を実施する。
即ち、ドレイン電圧制御部１９は平均誤差電力閾値設定部１７から出力された平均電力Ｐｅｒ_ａｖｅに応じて電力増幅器９のドレイン電圧Ｖｄ_Ｎを更新するとともに、平均誤差電力算出部１６により算出された誤差Ｖｅｒの平均電力Ｐｅｒ_ａｖｅと、その誤差Ｖｅｒの平均電力Ｐｅｒ_ａｖｅが算出された際の電力増幅器９のドレイン電圧Ｖｄ_Ｎ−１とを記憶する処理を繰り返し実施し、記憶している複数の平均電力Ｐｅｒ_ａｖｅの中で、最小の平均電力Ｐｅｒ_ａｖｅに対応するドレイン電圧を電力増幅器９のドレイン電圧Ｖｄ_ｏｐｔとして最終的に設定することで、電力増幅器９の特性を制御する処理を実施する。なお、ドレイン電圧制御部１９は特性制御手段を構成している。
【００４２】
上記実施の形態１では、ゲート電圧制御部１８が平均誤差電力閾値設定部１７から出力された平均電力Ｐｅｒ_ａｖｅに応じて電力増幅器９のゲート電圧Ｖｇ_Ｎを制御することで、電力増幅器９の特性を制御するものについて示したが、ドレイン電圧制御部１９が平均誤差電力閾値設定部１７から出力された平均電力Ｐｅｒ_ａｖｅに応じて電力増幅器９のドレイン電圧Ｖｄ_Ｎを制御することで、電力増幅器９の特性を制御するようにしてもよい。
具体的には、以下の通りである。
【００４３】
ドレイン電圧制御部１９は、上記実施の形態１と同様にして、平均誤差電力算出部１６が誤差Ｖｅｒの平均電力Ｐｅｒ_ａｖｅを算出すると、その誤差Ｖｅｒの平均電力Ｐｅｒ_ａｖｅと、その誤差Ｖｅｒの平均電力Ｐｅｒ_ａｖｅが算出された際の電力増幅器９のドレイン電圧Ｖｄ_Ｎ−１とを組にして、内部のメモリに記憶する処理を実施する。
なお、「誤差の平均電力とドレイン電圧の記憶処理」は、「ドレイン電圧の変更処理」がＮ回実施されるまで繰り返されるので、Ｎ組の平均電力Ｐｅｒ_ａｖｅとドレイン電圧Ｖｄ_Ｎ−１がドレイン電圧制御部１９の内部メモリに記憶されることになる。
【００４４】
ドレイン電圧制御部１９は、平均誤差電力閾値設定部１７から誤差Ｖｅｒの平均電力Ｐｅｒ_ａｖｅを受けると、その平均電力Ｐｅｒ_ａｖｅに応じて電力増幅器９のドレイン電圧Ｖｄ_Ｎを算出する。
なお、ドレイン電圧Ｖｄ_Ｎは、ゲート電圧Ｖｇ_Ｎの算出方法と同様の方法で算出することができるので、ドレイン電圧Ｖｄ_Ｎの算出処理は詳細な説明を省略する。
【００４５】
ドレイン電圧制御部１９は、電力増幅器９のドレイン電圧Ｖｄ_Ｎを算出すると、電力増幅器９のドレイン電圧をドレイン電圧Ｖｄ_Ｎに変更する処理を実施する。
なお、ドレイン電圧制御部１９は、ドレイン電圧Ｖｄ_Ｎの変更回数がＮ回に到達するまで、平均誤差電力閾値設定部１７から誤差Ｖｅｒの平均電力Ｐｅｒ_ａｖｅを受けて、ドレイン電圧Ｖｄ_Ｎの変更処理を実施する。
【００４６】
ドレイン電圧制御部１９は、ドレイン電圧Ｖｄ_ＮをＮ回変更すると、内部メモリに記憶しているＮ個の平均電力Ｐｅｒ_ａｖｅの中で、最小の平均電力Ｐｅｒ_ａｖｅを検索し、最小の平均電力Ｐｅｒ_ａｖｅと組になっているドレイン電圧を電力増幅器９のドレイン電圧Ｖｄ_ｏｐｔに決定する。
ドレイン電圧制御部１９は、電力増幅器９のドレイン電圧Ｖｄ_ｏｐｔを決定すると、電力増幅器９のドレイン電圧を最終的にドレイン電圧Ｖｄ_ｏｐｔに設定する。
これにより、電力増幅器９の特性制御が完了するが、この特性制御は必要に応じて適当な周期で繰り返されることで、歪み補償の効果が得られやすい電力増幅器９の特性が維持される。
【００４７】
以上で明らかなように、この実施の形態２によれば、電力増幅器９により電力が増幅されたベースバンド信号Ｖｉｎの一部を帰還信号ＶＦＢとして分岐し、その帰還信号ＶＦＢとベースバンド信号Ｖｉｎの誤差Ｖｅｒを検出する誤差検出部１４と、その誤差検出部１４により検出された誤差Ｖｅｒに応じて補償データテーブル５により記憶されている補償データを更新して、その誤差検出部１４により検出される誤差Ｖｅｒを低減する補償データ更新部１５と、その誤差検出部１４により検出された誤差Ｖｅｒの平均電力Ｐｅｒ_ａｖｅを算出する平均誤差電力算出部１６とを設け、ドレイン電圧制御部１９が平均誤差電力算出部１６により算出された誤差Ｖｅｒの平均電力Ｐｅｒ_ａｖｅに応じて電力増幅器９の特性を制御して、その平均誤差電力算出部１６により算出される誤差Ｖｅｒの平均電力Ｐｅｒ_ａｖｅを低減するように構成したので、上記実施の形態１と同様に、非線形歪みの補償効果を高めることができる効果を奏する。
即ち、補償データ更新部１５が誤差検出部１４により検出された誤差Ｖｅｒに応じて補償データテーブル５により記憶されている補償データを更新するだけでは、非線形歪みを十分に補償することができない場合でも、電力増幅器９の特性を制御することで、非線形歪みの補償効果を高めることができる効果を奏する。
【００４８】
また、この実施の形態２によれば、平均誤差電力閾値設定部１７が、平均誤差電力算出部１６により算出された誤差Ｖｅｒの平均電力Ｐｅｒ_ａｖｅと、予め設定された上限値である平均誤差電力閾値Ｐｅｒ_ｓを比較し、その平均電力Ｐｅｒ_ａｖｅが平均誤差電力閾値Ｐｅｒ_ｓ以下であれば、その平均電力Ｐｅｒ_ａｖｅをドレイン電圧制御部１９に出力し、その平均電力Ｐｅｒ_ａｖｅが平均誤差電力閾値Ｐｅｒ_ｓより大きければ、その平均誤差電力閾値Ｐｅｒ_ｓを平均電力Ｐｅｒ_ａｖｅ（＝Ｐｅｒ_ｓ）としてドレイン電圧制御部１９に出力するように構成したので、電力増幅器９のドレインに過剰な電圧が印加される状況の発生を防止することができる効果を奏する。
【００４９】
なお、この実施の形態２では、ゲート電圧制御部１８の代わりに、ドレイン電圧制御部１９を実装し、ドレイン電圧制御部１９が平均誤差電力算出部１６により算出された誤差Ｖｅｒの平均電力Ｐｅｒ_ａｖｅに応じて電力増幅器９のドレイン電圧を制御するものについて示したが、ゲート電圧制御部１８とドレイン電圧制御部１９の双方を実装して、電力増幅器９のゲート電圧とドレイン電圧を制御するようにしてもよい。
【００５０】
実施の形態３．
図４はこの発明の実施の形態３による歪み補償装置の電力増幅器９を示す構成図であり、図４では、電力増幅器９がドハティ増幅器である例を示している。
電力分配器２１は周波数変換器８による周波数変換後の信号を分配する処理を実施する。
キャリア増幅器２２は例えばＡＢ級で動作する増幅素子からなり、電力分配器２１により分配された一方の信号の電力を増幅する処理を実施する。
伝送線路２３，２４は所定の線路長を有する線路である。
【００５１】
ピーク増幅器２５は例えばＢ級又はＣ級で動作する増幅素子からなり、図１のゲート電圧制御部１８（または、図３のドレイン電圧制御部１９）によりゲート電圧（または、ドレイン電圧）が制御され、電力分配器２１により分配された他方の信号の電力を増幅する処理を実施する。
電力合成器２６はキャリア増幅器２２により電力が増幅された信号とピーク増幅器２５により電力が増幅された信号を合成して、その合成信号を信号分岐部１０に出力する処理を実施する。
【００５２】
上記実施の形態１，２では、電力増幅器９のゲート電圧又はドレイン電圧を制御することで、電力増幅器９の特性を制御するものについて示したが、図４に示すように、電力増幅器９がドハティ増幅器である場合、図１のゲート電圧制御部１８（または、図３のドレイン電圧制御部１９）が、そのドハティ増幅器を構成するピーク増幅器２５のゲート電圧（または、ドレイン電圧）を制御することで、電力増幅器９の特性を制御するようにしてもよく、上記実施の形態１，２と同様の効果を奏することができる。
【００５３】
図４では、ゲート電圧制御部１８がピーク増幅器２５のゲート電圧（または、ドレイン電圧）を制御するものについて示しているが、ゲート電圧制御部１８（または、図３のドレイン電圧制御部１９）が、ドハティ増幅器を構成するキャリア増幅器２２のゲート電圧（または、ドレイン電圧）を制御するようにしてもよく、同様の効果を奏することができる。
あるいは、ゲート電圧制御部１８（または、図３のドレイン電圧制御部１９）が、キャリア増幅器２２及びピーク増幅器２５の双方のゲート電圧（または、ドレイン電圧）を制御するようにしてもよく、同様の効果を奏することができる。
【００５４】
実施の形態４．
図５はこの発明の実施の形態４による歪み補償装置を示す構成図である。
また、図６はこの発明の実施の形態４による歪み補償装置の電力増幅器９を示す構成図である。
図において、図１及び図４と同一符号は同一又は相当部分を示すので説明を省略する。
スイッチ制御部３０は平均誤差電力閾値設定部１７から出力された平均電力Ｐｅｒ_ａｖｅに応じて、ピーク増幅器３７の入力側に接続する伝送線路３５の線路長ｌを決定し、その線路長ｌを有する伝送線路３５をピーク増幅器３７の入力側に直列接続することで、電力増幅器９の特性を制御する処理を実施する。なお、スイッチ制御部３０は特性制御手段を構成している。
【００５５】
図６では、電力増幅器９がドハティ増幅器である例を示している。
電力分配器３１は周波数変換器８による周波数変換後の信号を分配する処理を実施する。
キャリア増幅器３２は例えばＡＢ級で動作する増幅素子からなり、電力分配器３１により分配された一方の信号の電力を増幅する処理を実施する。
伝送線路３３は例えば４分の１波長の線路長を有する線路である。
【００５６】
スイッチ３４１，３６１は伝送線路３５１と直列に接続されており、スイッチ制御部３０によりＯＮ／ＯＦＦが制御される。
スイッチ３４２，３６２は伝送線路３５２と直列に接続されており、スイッチ制御部３０によりＯＮ／ＯＦＦが制御される。
スイッチ３４Ｎ，３６Ｎは伝送線路３５Ｎと直列に接続されており、スイッチ制御部３０によりＯＮ／ＯＦＦが制御される。
伝送線路３５１は線路長がｌ１の線路であり、ピーク増幅器３７と直列に接続される。
伝送線路３５２は線路長がｌ２の線路であり、ピーク増幅器３７と直列に接続される。
伝送線路３５Ｎは線路長がｌＮの線路であり、ピーク増幅器３７と直列に接続される。
【００５７】
ピーク増幅器３７は例えばＢ級又はＣ級で動作する増幅素子からなり、電力分配器３１により分配された他方の信号の電力を増幅する処理を実施する。
電力合成器３８はキャリア増幅器３２により電力が増幅された信号とピーク増幅器３７により電力が増幅された信号を合成して、その合成信号を信号分岐部１０に出力する処理を実施する。
【００５８】
次に動作について説明する。
ゲート電圧制御部１８の代わりに、スイッチ制御部３０が実装されており、電力増幅器９がドハティ増幅器である点以外は、上記実施の形態１と同様であるため、スイッチ制御部３０と電力増幅器９の処理内容についてのみ説明する。
【００５９】
スイッチ制御部３０は、上記実施の形態１と同様にして、平均誤差電力算出部１６が誤差Ｖｅｒの平均電力Ｐｅｒ_ａｖｅを算出すると、その誤差Ｖｅｒの平均電力Ｐｅｒ_ａｖｅと、その誤差Ｖｅｒの平均電力Ｐｅｒ_ａｖｅが算出された際のピーク増幅器３７の入力側に接続されている伝送線路３５の情報（当該伝送線路３５の線路長ｌを示す情報）とを組にして、内部のメモリに記憶する処理を実施する。
なお、「誤差の平均電力と伝送路情報の記憶処理」は、「伝送線路の変更処理」がＮ回実施されるまで繰り返されるので、Ｎ組の平均電力Ｐｅｒ_ａｖｅと伝送線路情報がスイッチ制御部３０の内部メモリに記憶されることになる。
【００６０】
スイッチ制御部３０は、平均誤差電力閾値設定部１７から誤差Ｖｅｒの平均電力Ｐｅｒ_ａｖｅを受けると、次に接続する伝送線路３５を選択する。
例えば、伝送線路３５１→伝送線路３５２→・・・→伝送線路３５Ｎ→の順番で、次に接続する伝送線路３５を選択する。
スイッチ制御部３０は、次に接続する伝送線路３５を選択すると、その伝送線路３５と直列に接続されているスイッチ３４，３６をＯＮにして、他の伝送線路３５と直列に接続されているスイッチ３４，３６をＯＦＦにすることで、伝送線路３５を変更する処理を実施する。
なお、スイッチ制御部３０は、伝送線路３５の変更回数がＮ回に到達するまで、平均誤差電力閾値設定部１７から誤差Ｖｅｒの平均電力Ｐｅｒ_ａｖｅを受けて、伝送線路３５の変更処理を実施する。
【００６１】
スイッチ制御部３０は、伝送線路３５をＮ回変更すると、内部メモリに記憶しているＮ個の平均電力Ｐｅｒ_ａｖｅの中で、最小の平均電力Ｐｅｒ_ａｖｅを検索し、最小の平均電力Ｐｅｒ_ａｖｅと組になっている線路長ｌを有する伝送線路３５をピーク増幅器３７の入力側に接続する伝送線路に決定する。
スイッチ制御部３０は、ピーク増幅器３７の入力側に接続する伝送線路３５を決定すると、その伝送線路３５を最終的にピーク増幅器３７の入力側に直列接続する。
これにより、電力増幅器９の特性制御が完了するが、この特性制御は必要に応じて適当な周期で繰り返されることで、歪み補償の効果が得られやすい電力増幅器９の特性が維持される。
【００６２】
以上で明らかなように、この実施の形態４によれば、スイッチ制御部３０が、平均誤差電力閾値設定部１７から出力された誤差Ｖｅｒの平均電力Ｐｅｒ_ａｖｅに応じてピーク増幅器３７の入力側に接続する伝送線路３５の線路長ｌを決定し、その線路長ｌを有する伝送線路３５をピーク増幅器３７の入力側に直列接続することで、電力増幅器９の特性を制御するように構成したので、ピーク増幅器３７の入力側に接続する伝送線路３５の線路長ｌを最適化することができるようになり（キャリア増幅器３２側の経路と、ピーク増幅器３７側の経路とで、高い歪み補償効果が得られる位相関係を保つことでできるようになる）、その結果、非線形歪みの補償効果を高めることができる効果を奏する。
【００６３】
なお、この実施の形態４では、ピーク増幅器３７の入力側に接続する伝送線路３５の線路長ｌを決定し、その線路長ｌを有する伝送線路３５をピーク増幅器３７の入力側に直列接続するものについて示したが、ピーク増幅器３７の出力側に接続する伝送線路の線路長ｌを決定し、その線路長ｌを有する伝送線路をピーク増幅器３７の出力側に直列接続するようにしてもよい。
【００６４】
また、この実施の形態４では、ピーク増幅器３７の入力側に接続する伝送線路３５の線路長ｌを決定し、その線路長ｌを有する伝送線路３５をピーク増幅器３７の入力側に直列接続するものについて示したが、キャリア増幅器３２の入力側に接続する伝送線路の線路長ｌを決定し、その線路長ｌを有する伝送線路をキャリア増幅器３２の入力側に直列接続するようにしてもよい。
また、キャリア増幅器３２の出力側に接続する伝送線路の線路長ｌを決定し、その線路長ｌを有する伝送線路をキャリア増幅器３２の出力側に直列接続するようにしてもよい。
【００６５】
さらに、キャリア増幅器３２及びピーク増幅器３７の入力側に接続する伝送線路の線路長ｌを決定し、その線路長ｌを有する伝送線路をキャリア増幅器３２及びピーク増幅器３７の入力側に直列接続するようにしてもよい。
また、キャリア増幅器３２及びピーク増幅器３７の出力側に接続する伝送線路の線路長ｌを決定し、その線路長ｌを有する伝送線路をキャリア増幅器３２及びピーク増幅器３７の出力側に直列接続するようにしてもよい。
【００６６】
実施の形態５．
図７はこの発明の実施の形態５による歪み補償装置の電力増幅器９を示す構成図であり、図において、図６と同一符号は同一又は相当部分を示すので説明を省略する。
伝送線路４１は例えば４分の１波長の線路長を有する線路である。
【００６７】
スイッチ４２１は伝送線路４３１と直列に接続されており、スイッチ制御部３０によりＯＮ／ＯＦＦが制御される。
スイッチ４２２は伝送線路４３２と直列に接続されており、スイッチ制御部３０によりＯＮ／ＯＦＦが制御される。
スイッチ４２Ｎは伝送線路４３Ｎと直列に接続されており、スイッチ制御部３０によりＯＮ／ＯＦＦが制御される。
伝送線路４３１は線路長がｌ１の線路であり、ピーク増幅器３７と並列に接続される。
伝送線路４３２は線路長がｌ２の線路であり、ピーク増幅器３７と並列に接続される。
伝送線路４３Ｎは線路長がｌＮの線路であり、ピーク増幅器３７と並列に接続される。
【００６８】
次に動作について説明する。
ゲート電圧制御部１８の代わりに、スイッチ制御部３０が実装されており、電力増幅器９がドハティ増幅器である点以外は、上記実施の形態１と同様であるため、スイッチ制御部３０と電力増幅器９の処理内容についてのみ説明する。
【００６９】
スイッチ制御部３０は、上記実施の形態１と同様にして、平均誤差電力算出部１６が誤差Ｖｅｒの平均電力Ｐｅｒ_ａｖｅを算出すると、その誤差Ｖｅｒの平均電力Ｐｅｒ_ａｖｅと、その誤差Ｖｅｒの平均電力Ｐｅｒ_ａｖｅが算出された際のピーク増幅器３７の入力側に接続されている伝送線路４３の情報（当該伝送線路４３の線路長ｌを示す情報）とを組にして、内部のメモリに記憶する処理を実施する。
なお、「誤差の平均電力と伝送路情報の記憶処理」は、「伝送線路の変更処理」がＮ回実施されるまで繰り返されるので、Ｎ組の平均電力Ｐｅｒ_ａｖｅと伝送線路情報がスイッチ制御部３０の内部メモリに記憶されることになる。
【００７０】
スイッチ制御部３０は、平均誤差電力閾値設定部１７から誤差Ｖｅｒの平均電力Ｐｅｒ_ａｖｅを受けると、次に接続する伝送線路４３を選択する。
例えば、伝送線路４３１→伝送線路４３２→・・・→伝送線路４３Ｎ→の順番で、次に接続する伝送線路４３を選択する。
スイッチ制御部３０は、次に接続する伝送線路４３を選択すると、その伝送線路４３と直列に接続されているスイッチ４２をＯＮにして、他の伝送線路４３と直列に接続されているスイッチ４２をＯＦＦにすることで、伝送線路４３を変更する処理を実施する。
なお、スイッチ制御部３０は、伝送線路４３の変更回数がＮ回に到達するまで、平均誤差電力閾値設定部１７から誤差Ｖｅｒの平均電力Ｐｅｒ_ａｖｅを受けて、伝送線路４３の変更処理を実施する。
【００７１】
スイッチ制御部３０は、伝送線路４３をＮ回変更すると、内部メモリに記憶しているＮ個の平均電力Ｐｅｒ_ａｖｅの中で、最小の平均電力Ｐｅｒ_ａｖｅを検索し、最小の平均電力Ｐｅｒ_ａｖｅと組になっている線路長ｌを有する伝送線路４３をピーク増幅器３７の入力側に接続する伝送線路に決定する。
スイッチ制御部３０は、ピーク増幅器３７の入力側に接続する伝送線路４３を決定すると、その伝送線路４３を最終的にピーク増幅器３７の入力側に並列接続する。
これにより、電力増幅器９の特性制御が完了するが、この特性制御は必要に応じて適当な周期で繰り返されることで、歪み補償の効果が得られやすい電力増幅器９の特性が維持される。
【００７２】
以上で明らかなように、この実施の形態５によれば、スイッチ制御部３０が、平均誤差電力閾値設定部１７から出力された誤差Ｖｅｒの平均電力Ｐｅｒ_ａｖｅに応じてピーク増幅器３７の入力側に接続する伝送線路４３の線路長ｌを決定し、その線路長ｌを有する伝送線路４３をピーク増幅器３７の入力側に並列接続することで、電力増幅器９の特性を制御するように構成したので、ピーク増幅器３７の入力側に接続する伝送線路４３の線路長ｌを最適化することができるようになり（ドハティ増幅器の入力側の負荷インピーダンスを高い歪み補償効果が得られるように保つことができるようになる）、その結果、非線形歪みの補償効果を高めることができる効果を奏する。
【００７３】
なお、この実施の形態５では、ピーク増幅器３７の入力側に接続する伝送線路４３の線路長ｌを決定し、その線路長ｌを有する伝送線路４３をピーク増幅器３７の入力側に並列接続するものについて示したが、ピーク増幅器３７の出力側に接続する伝送線路の線路長ｌを決定し、その線路長ｌを有する伝送線路をピーク増幅器３７の出力側に並列接続するようにしてもよい。
【００７４】
また、この実施の形態５では、ピーク増幅器３７の入力側に接続する伝送線路４３の線路長ｌを決定し、その線路長ｌを有する伝送線路４３をピーク増幅器３７の入力側に並列接続するものについて示したが、キャリア増幅器３２の入力側に接続する伝送線路の線路長ｌを決定し、その線路長ｌを有する伝送線路をキャリア増幅器３２の入力側に並列接続するようにしてもよい。
また、キャリア増幅器３２の出力側に接続する伝送線路の線路長ｌを決定し、その線路長ｌを有する伝送線路をキャリア増幅器３２の出力側に並列接続するようにしてもよい。
【００７５】
さらに、キャリア増幅器３２及びピーク増幅器３７の入力側に接続する伝送線路の線路長ｌを決定し、その線路長ｌを有する伝送線路をキャリア増幅器３２及びピーク増幅器３７の入力側に並列接続するようにしてもよい。
また、キャリア増幅器３２及びピーク増幅器３７の出力側に接続する伝送線路の線路長ｌを決定し、その線路長ｌを有する伝送線路をキャリア増幅器３２及びピーク増幅器３７の出力側に並列接続するようにしてもよい。
【符号の説明】
【００７６】
１  入力端子、２，３  信号分岐部（補償データ乗算手段）、４  電力計算部（補償データ乗算手段）、５  補償データテーブル（補償データ乗算手段）、６  乗算器（補償データ乗算手段）、７  Ｄ／Ａコンバータ（補償データ乗算手段）、８  周波数変換器（補償データ乗算手段）、９  電力増幅器（電力増幅手段）、１０  信号分岐部（誤差検出手段）、１１  出力端子、１２  周波数変換器（誤差検出手段）、１３  Ａ／Ｄコンバータ（誤差検出手段）、１４  誤差検出部（誤差検出手段）、１５  補償データ更新部（補償データ更新手段）、１６  平均誤差電力算出部（平均誤差電力算出手段）、１７  平均誤差電力閾値設定部（上限設定手段）、１８  ゲート電圧制御部（特性制御手段）、１９  ドレイン電圧制御部（特性制御手段）、２１  電力分配器、２２  キャリア増幅器、２３，２４  伝送線路、２５  ピーク増幅器、２６  電力合成器、３０  スイッチ制御部（特性制御手段）、３１  電力分配器、３２  キャリア増幅器、３３  伝送線路、３４１，３４２，３４Ｎ  スイッチ、３５１，３５２，３５Ｎ  伝送線路、３６１，３６２，３６Ｎ  スイッチ、３７  ピーク増幅器、３８  電力合成器、４１  伝送線路、４２１，４２２，４２Ｎ  スイッチ、４３１，４３２，４３Ｎ  伝送線路、１０１  入力端子、１０２  信号分岐部、１０３  信号分岐部、１０４  電力計算部、１０５  補償データテーブル、１０６  乗算器、１０７  Ｄ／Ａコンバータ、１０８  周波数変換器、１０９  電力増幅器、１１０  信号分岐部、１１１  出力端子、１１２  周波数変換器、１１３  Ａ／Ｄコンバータ、１１４  誤差検出部、１１５  補償データ更新部。
【図１】
2010258578.tif 000003
【図２】
2010258578.tif 000004
【図３】
2010258578.tif 000005
【図４】
2010258578.tif 000006
【図５】
2010258578.tif 000007
【図６】
2010258578.tif 000008
【図７】
2010258578.tif 000009
【図８】
2010258578.tif 000010